(57)【要約】【課題】検索者が文書情報を検索するための単語を考えることなく当該文書情報の検索を行なうことのできる機能を備えた文書情報検索装置提供することを目的とする。【解決手段】格納場所記憶部１４が、ＷＷＷサーバ３が配信するウェブページ内の文書を構成する各単語と、当該ウェブページのＵＲＬとを対応付けて予め記憶する。そして、文書分解部１２が、電子メールに含まれる文書データが表す文章を単語に分解する。また、格納場所読み取り部１３が、文書分解部１２によって分解された結果得られた単語に対応付けられたウェブページのＵＲＬを格納場所記憶部１４から読み取る。【選択図】　図１
2004145535.tif 000002
【特許請求の範囲】
【請求項１】
検索対象文書情報を構成する各単語と、前記検索対象文書情報の格納場所情報とを対応付けて予め記憶する格納場所記憶手段と、
検索用文書情報を単語に分解する文書分解手段と、
前記文書分解手段によって分解された結果得られた単語に対応付けられた前記格納場所情報を前記格納場所記憶手段から読み取る格納場所読み取り手段と、
を備えることを特徴とする文書情報検索装置。
【請求項２】
前記格納場所記憶手段で記憶する各単語は前記検索対象文書情報を形態素解析手法により分解して得られた複数の単語であることを特徴とする請求項１に記載の文書情報検索装置。
【請求項３】
前記文書分解手段は形態素解析手法を用いて前記検索用文書情報を分解することを特徴とする請求項１に記載の文書情報検索装置。
【請求項４】
前記格納場所情報は、インターネットもしくはイントラネット上のアドレスであることを特徴とする請求項１に記載の文書情報検索装置。
【請求項５】
電子メールに添付された前記検索用文書を受信する受信手段を備え、
前記受信手段は、予め登録されたドメインから送信された前記電子メールに限り受信する
ことを特徴とする請求項１に記載の文書情報検索装置。
【請求項６】
検索対象文書情報を構成する各単語と、前記検索対象文書情報の格納場所情報とを対応付けて予め記憶する格納場所記憶手段を備えた文書情報検索装置における文書情報検索方法であって、
検索用文書情報を単語に分解する文書分解過程と、
前記文書分解過程によって分解された結果得られた単語に対応付けられた前記格納場所情報を前記格納場所記憶手段から読み取る格納場所読み取り過程と、
を備えることを特徴とする文書情報検索方法。
【請求項７】
検索対象文書情報を構成する各単語と、前記検索対象文書情報の格納場所情報とを対応付けて予め記憶する格納場所記憶手段を備えた文書情報検索装置のコンピュータに実行させるプログラムであって、
検索用文書情報を単語に分解する文書分解過程と、
前記文書分解過程によって分解された結果得られた単語に対応付けられた前記格納場所情報を前記格納場所記憶手段から読み取る格納場所読み取り過程と、
をコンピュータに実行させるプログラム。
【発明の詳細な説明】
【０００１】
【発明の属する技術分野】
この発明は、コンピュータシステムに係り、特に、文書情報検索装置及び文書情報検索方法に関するものである。
【０００２】
【従来の技術】
インターネットに接続された多くのＷＷＷ（Ｗｏｒｌｄ　Ｗｉｄｅ　Ｗｅｂ）サーバが配信するウェブページ（検索対象文書情報）の中から、特定のキーワードを用いて特定のウェブページを検索するためには、例えば、検索者は、ＰＣ（Ｐｅｒｓｏｎａｌ　Ｃｏｍｐｕｔｅｒ）などの情報端末を用いて情報検索サイトと呼ばれるホームページへアクセスし、情報検索サイトのホームページにおける指定箇所にキーワードとなる単語を入力する。すると、その入力を受付けた情報検索装置が、検索者の入力した単語に基づいて、予めデータベースに当該入力を受付けた単語と対応付けて記憶しているウェブページのＵＲＬ（Ｕｎｉｆｏｒｍ　Ｒｅｓｏｕｒｃｅ　Ｌｏｃａｔｏｒ）を読み取り、検索者の情報端末に返信する。そして、検索者は、情報端末で受信したＵＲＬを用いて当該単語を含んでいるウェブページへアクセスする。これにより、検索者はキーワードの単語が含まれている文書情報を受信することができる（例えば、非特許文献１参照。）。
【０００３】
【非特許文献１】
新井　茂、外５名，「教育用ロボット型検索エンジン」，「信学技報」，社団法人電子情報通信学会，１９９９年０９月２５日，Ｖｏｌ．９９，Ｎｏ．３２，ｐ．２５−２９
【０００４】
【発明が解決しようとする課題】
しかしながら、上述のウェブページの検索方法では、ある文書（検索用となる文書）に関連するウェブページをインターネット上で検索しようとした場合、検索者は検索用となる文書の要旨を表現する単語を連想して、その単語を元に検索をしなければならなかった。
そこでこの発明は、検索者が文書情報を検索するための単語を考えることなく当該文書情報の検索を行なうことのできる機能を備えた文書情報検索装置及び文書情報検索方法を提供することを目的としている。
【０００５】
【課題を解決するための手段】
本発明は、上述の課題を解決すべくなされたもので、検索対象文書情報を構成する各単語と、前記検索対象文書情報の格納場所情報とを対応付けて予め記憶する格納場所記憶手段と、検索用文書情報を単語に分解する文書分解手段と、前記文書分解手段によって分解された結果得られた単語に対応付けられた前記格納場所情報を前記格納場所記憶手段から読み取る格納場所読み取り手段とを備えることを特徴とする文書情報検索装置である。
【０００６】
上述の構成によれば、格納場所記憶手段が、検索対象文書情報を構成する各単語と、検索対象文書情報の格納場所情報とを対応付けて予め記憶し、文書分解手段が、検索用文書情報を単語に分解する。また、格納場所読み取り手段が、文書分解手段によって分解された結果得られた単語に対応付けられた格納場所情報を格納場所記憶手段から読み取る。そして、格納場所読み取り手段が読み取った格納場所情報が検索者に転送されることで、これにより、検索者が検索対象文書情報を検索するための単語を考えることなく検索用文書情報を元に検索対象文書情報を検索を行なうことができる。
【０００７】
また、本発明は、上述の文書情報検索装置であって、前記格納場所記憶手段で記憶する各単語は前記検索対象文書情報を形態素解析手法により分解して得られた複数の単語であることを特徴とする。
【０００８】
また、本発明は、上述の文書情報検索装置であって、前記文書分解手段は形態素解析手法を用いて前記検索用文書情報を分解することを特徴とする。
【０００９】
また、本発明は、上述の文書情報検索装置であって、前記格納場所情報は、インターネットもしくはイントラネット上のアドレスであることを特徴とする。
【００１０】
また、本発明は、上述の文書情報検索装置であって、電子メールに添付された前記検索用文書を受信する受信手段を備え、前記受信手段は、予め登録されたドメインから送信された前記電子メールに限り受信することを特徴とする。
【００１１】
また、本発明は、検索対象文書情報を構成する各単語と、前記検索対象文書情報の格納場所情報とを対応付けて予め記憶する格納場所記憶手段を備えた文書情報検索装置における文書情報検索方法であって、検索用文書情報を単語に分解する文書分解過程と、前記文書分解過程によって分解された結果得られた単語に対応付けられた前記格納場所情報を前記格納場所記憶手段から読み取る格納場所読み取り過程とを備えることを特徴とする文書情報検索方法である。
【００１２】
また、本発明は、検索対象文書情報を構成する各単語と、前記検索対象文書情報の格納場所情報とを対応付けて予め記憶する格納場所記憶手段を備えた文書情報検索装置のコンピュータに実行させるプログラムであって、検索用文書情報を単語に分解する文書分解過程と、前記文書分解過程によって分解された結果得られた単語に対応付けられた前記格納場所情報を前記格納場所記憶手段から読み取る格納場所読み取り過程とをコンピュータに実行させるプログラムである。
【００１３】
【発明の実施の形態】
以下、本発明の一実施形態による文書情報検索装置を図面を参照して説明する。
図１は、この発明の一実施形態による文書情報検索システムの構成を示す概略ブロック図である。この図において符号１は、文書情報検索装置である。また２は、検索者の情報端末（例えば、ＰＣなど）である。また３は、インターネット網上にウェブページを配信するＷＷＷサーバである。また４は、インターネット網である。そしてインターネット網４を介して、文書情報検索装置１と情報端末２とＷＷＷサーバ３が接続されている。
【００１４】
また、文書情報検索装置１と情報端末２とＷＷＷサーバ３は、それぞれＷＷＷシステムを利用しているコンピュータシステムであり、文章情報検索装置１及びＷＷＷサーバ３は情報端末２へウェブページを提供するウェブページ提供機能を有し、情報端末２は当該ウェブページを画面に表示するウェブページ表示機能を有している。また、文書情報検索装置１及び情報端末２は電子メール送受信機能を備えており、電子メールの相互の送受信が可能である。
【００１５】
また、文書情報検索装置１において、符号１１は情報端末２やＷＷＷサーバ３と各種情報を送受信する送受信部である。また１２は、形態素解析手法により送受信部１１が受信した文書情報を単語に分解する文書分解部である。また１３は、文書分解部１２によって分解された結果得られた単語に基づいて、ＷＷＷサーバ３が配信する文書情報へアクセスする為のＵＲＬを格納場所記憶部１４から読み取る格納場所読み取り部である。また１４は、ＷＷＷサーバ３が配信している文書情報を形態素解析手法により分解し、その結果得られた複数の単語と、当該文書情報の格納場所であるＵＲＬとを対応付けたテーブルを予め記憶する格納場所記憶部である。尚、図２は格納場所記憶部１４で記憶するテーブルのデータ構造を示す図であり、単語とその単語を情報として保持するウェブページのＵＲＬが対応付けられて記録されている。
【００１６】
そして送受信部１１が検索者の情報端末２から文書データを受信し、文書分解部１２が、当該文書データが表す文章を形態素解析により複数の単語に分解する。そして、格納場所読み取り部１３が、文書分解部１２の形態素解析により結果として得られた複数の単語毎に対応付けられて格納場所記憶部１４で記憶されている全てのＵＲＬを読み取り、当該ＵＲＬの全てを送受信部１１が情報端末２へ送信する。そして検索者は、情報端末２で受信したＵＲＬにアクセスすることで、電子メールで送信した文書データに関連するウェブページへアクセスする事ができる。
【００１７】
次に、上述した文書情報検索装置１の動作を図３を参照して説明する。
図３は本発明の１実施形態による文書情報検索装置１の処理を示すフローチャートである。
まず、検索用となる文書に関連した文章の記載されているウェブページ（検索対象文書情報）を、複数のＷＷＷサーバ３がインターネット網４上へ配信している膨大なウェブページの中から検索しようとした場合、検索者は、情報端末２を用いて当該検索用となる文書を入力した電子メールを作成し、文書情報検索装置１へ送信する処理を行なう。すると、情報端末２は当該検索用となる文書を表す文書データ（検索用文書情報）を含む電子メールを文書情報検索装置１へ送信する。
【００１８】
次に、文書情報検索装置１の送受信部１１が電子メールを受信する（ステップＳ１）。そして送受信部１１は受信した電子メールから文書データを読み取り、当該文書データを文書分解部１２へ転送する。次に、文書分解部１２は転送を受けた文書データが表す文章を、形態素解析手法を用いて単語へと分解する（ステップＳ２）。次に、文書分解部１２は形態素解析により結果として得られた複数の単語を、格納場所読み取り部１３へ転送する。そして、格納場所読み取り部１３は、文書分解部１２から転送を受けた各単語が、格納場所記憶部１４で保持するテーブルに記録されているか否かを判断する（ステップＳ３）。
【００１９】
次に格納場所読み取り部１３は、ステップＳ３において文書分解部１２から転送を受けた各単語のうち、格納場所記憶部１４で保持するテーブルに記録されている単語に対応付けられて記録されている全てのＵＲＬを読み取る（ステップＳ４）。そして、格納場所読み取り部１３はステップＳ４で読み取ったＵＲＬを送受信部１１へ転送する。
次に、送受信部１１は、格納場所読み取り部１３から転送を受けたＵＲＬを記録した電子メールを作成する（ステップＳ５）。そして送受信部１１は、作成した電子メールを情報端末２へ送信する（ステップＳ６）。
【００２０】
ステップＳ６で送信された電子メールは、情報端末２が受信する。そして、検索者は情報端末２で受信した電子メールを確認し、その電子メールに記録されているＵＲＬを情報端末２でクリックする。すると、情報端末２はＵＲＬが示すウェブページをＷＷＷサーバ３から読み取る処理を行なう。これにより、検索者は情報端末２の画面において、検索用となる文書に関連した文章の記載されているウェブページを閲覧することができる。
【００２１】
尚、本実施形態においては、ＷＷＷサーバ３が配信するウェブページを検索対象文書情報としているが、検索対象文書情報はインターネット網４ではなく、例えば、会社内のイントラネットなどの閉じたネットワーク内における専用サーバに記憶されても良い。その場合は、イントラネット内の専用サーバに記憶する検索対象文書情報を特定するＵＲＬが格納場所情報となる。
【００２２】
また、本実施形態において検索用文書情報は、情報端末２が備える電子メール送受信機能により文書情報検索装置１に送信されているが、例えば、文書情報検索装置１の送受信部１１がウェブページ送受信機能を備え、そのウェブページ送受信機能により情報端末２に配信されるウェブページに、検索者が検索用となる文書を入力し、これにより、情報端末２から当該検索用文書情報が文書情報検索装置１へ送信されるようにしてもよい。
【００２３】
また、文書情報検索装置１の送受信部１１は、電子メールを送信する情報端末２のドメイン情報を電子メールから読み取り、特定のドメインから送信された電子メールに限り、電子メールを受信するような機能を保持しても良い。
【００２４】
上述の文書情報検索装置は内部に、コンピュータシステムを有している。そして、上述した文書情報検索装置１の各処理部における処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２５】
【発明の効果】
以上説明したように、この発明によれば、格納場所記憶手段が、検索対象文書情報を構成する各単語と、検索対象文書情報の格納場所情報とを対応付けて予め記憶し、文書分解手段が、検索用文書情報を単語に分解する。また、格納場所読み取り手段が、文書分解手段によって分解された結果得られた単語に対応付けられた格納場所情報を格納場所記憶手段から読み取る。そして、格納場所読み取り手段が読み取った格納場所情報が検索者に転送されることで、これにより、検索者が検索対象文書情報を検索するための単語を考えることなく検索用文書情報を元に検索対象文書情報を検索を行なうことができる。
【図面の簡単な説明】
【図１】この発明の一実施形態による文書情報検索システムの構成を示す概略ブロック図である。
【図２】本実施形態による格納場所記憶部１４で記憶するテーブルのデータ構造を示す図である。
【図３】本実施形態による文書情報検索装置１の処理を示すフローチャートである。
【符号の説明】
１　文書情報検索装置
２　情報端末
３　ＷＷＷサーバ
１１　送受信部
１２　文書分解部
１３　格納場所読み取り部
１４　格納場所記憶部
【図１】
2004145535.tif 000003
【図２】
2004145535.tif 000004
【図３】
2004145535.tif 000005